(57)【要約】【課題】  圧電素子を備えた報音機能付携帯型電子装置において、ユーザーによる容易な電池交換を可能にしてボタン型電池を電池収納凹部に固定すること、及び前記圧電素子が十分な音量を発生できるようにすること。【解決手段】  報音機能付携帯型電子時計の電子時計本体１１には、電池蓋１４が装着されている。圧電素子１６は、電池蓋１４の内側に形成された電池蓋凹部１５の底面に取り付けられている。電池蓋凹部１５の開口には、圧電素子１６との間に隙間１８を設けて、板状隔壁部材１７が周縁部を固着されている。電子時計本体１１の電池収納凹部１３には、ボタン型電池１２が収納され、板状隔壁部材１７で押されて固定されている。【選択図】  図１
2005214793.tif 000002
【特許請求の範囲】
【請求項１】
電池収納凹部に収納されたボタン型電池をユーザーが交換可能にして電池蓋が装着された電子装置本体と、圧電素子を音響発生用素子とする報音部を備えた報音機能付携帯型電子装置において、前記電池蓋の内側に電池蓋凹部を形成し、前記電池収納凹部に収納されたボタン型電池との間に隙間を設けて前記電池蓋凹部の底面に前記圧電素子を取り付けたことを特徴とする報音機能付携帯型電子装置。
【請求項２】
電池収納凹部に収納されたボタン型電池をユーザーが交換可能にして電池蓋が装着された電子装置本体と、圧電素子を音響発生用素子とする報音部を備えた報音機能付携帯型電子装置において、前記電池収納凹部は電子装置本体に形成され、前記圧電素子は前記電池蓋の内側に形成された電池蓋凹部の底面に取り付けられ、更に、前記電池蓋凹部の開口には前記圧電素子との間に隙間を設けて板状隔壁部材が周縁部を固着されて配置されていることを特徴とする報音機能付携帯型電子装置。
【請求項３】
前記板状隔壁部材は、表面に導通用プリント回路が形成されたプラスチック製の円形板部材であることを特徴とする請求項２の報音機能付携帯型電子装置。
【請求項４】
前記板状隔壁部材は、一対の導通用接点板バネがプラスチックに組み込まれて一体の部材として組み込まれたプラスチック製の円形板部材であることを特徴とする請求項２の報音機能付携帯型電子装置。
【請求項５】
前記板状隔壁部材は、導通端子用の貫通穴が形成された板部材であることを特徴とする請求項２の報音機能付携帯型電子装置。
【請求項６】
前記導通端子用の貫通穴が形成された板部材は、中心部に第１導通端子用の貫通孔が且つ外周部に第２導通端子用の円弧状貫通穴がそれぞれ形成された円形板部材であることを特徴とする請求項５の報音機能付携帯型電子装置。
【請求項７】
前記導通端子用の貫通穴が形成された板部材は、外周部に導通端子用の幅広の円弧状貫通穴が形成された円形板部材であることを特徴とする請求項５の報音機能付携帯型電子装置。
【請求項８】
前記導通端子用の貫通穴が形成された板部材は、外周部に導通端子用の幅広の円弧状貫通穴が形成されたドーナツ形板部材であることを特徴とする請求項５の報音機能付携帯型電子装置。
【請求項９】
前記導通端子用の貫通穴が形成された板部材は、外周部に導通端子用の幅広の円弧状貫通穴が形成され、且つ電池に当接する側に電池固定用突起が形成されたドーナツ形板部材であることを特徴とする請求項５の報音機能付携帯型電子装置。
【請求項１０】
前記導通端子用の貫通穴が形成された板部材は、外周部に一対の導通端子用の幅広の円弧状貫通穴が対称的に形成され、且つ、電池に当接する側に電池固定枠が形成された円形板部材であることを特徴とする請求項５の報音機能付携帯型電子装置。
【請求項１１】
前記導通端子用の貫通穴が形成された板部材は、外周部に導通端子用の幅広の円弧状貫通穴が形成され、且つ中心部に向かって延伸した片持ち梁部が形成された略ドーナツ形板部材であることを特徴とする請求項５の報音機能付携帯型電子装置。
【請求項１２】
前記導通端子用の貫通穴が形成された板部材は、十字型梁を有する弾性板部材であることを特徴とする請求項５の報音機能付携帯型電子装置。
【請求項１３】
前記導通端子用の貫通穴が形成された板部材は、中心部が電池側に撓んだ井の字型梁を有する弾性板部材であることを特徴とする請求項５の報音機能付携帯型電子装置。
【請求項１４】
前記導通端子用の貫通穴が形成された板部材は、ハニカム構造の円形板部材であることを特徴とする請求項５の報音機能付携帯型電子装置。
【請求項１５】
電池収納凹部に収納されたボタン型電池をユーザーが交換可能にして電池蓋が装着された電子装置本体と、圧電素子を音響発生用素子とする報音部を備えた報音機能付携帯型電子装置において、前記電池収納凹部は電子装置本体に形成され、前記圧電素子は前記電池蓋の内側に形成された電池蓋凹部の底面に取り付けられ、更に、前記電池蓋凹部の開口には前記圧電素子との間に隙間を設けて且つ前記圧電素子よりも大きい直径のコイルバネで電池側に押しつけられるようにして板状隔壁部材が配置されていることを特徴とする報音機能付携帯型電子装置。
【請求項１６】
電池収納凹部に収納されたボタン型電池をユーザーが交換可能にして電池蓋が装着された電子装置本体と、圧電素子を音響発生用素子とする報音部を備えた報音機能付携帯型電子装置において、前記電池収納凹部は電子装置本体に形成され、前記圧電素子は前記電池蓋の内側に形成された電池蓋凹部の底面に取り付けられ、更に、前記電池収納凹部の周縁部に配置されている電池固定用部材が前記圧電素子との間に隙間を設けて前記ボタン型電池を固定することを特徴とする報音機能付携帯型電子装置。
【請求項１７】
前記電池固定用部材は、前記電池収納凹部の周縁部に配置された複数個のスイッチバネであって、電池蓋の装着時の回転でその爪部によって半径方向内側に押されるスイッチバネであることを特徴とする請求項１６の報音機能付携帯型電子装置。
【請求項１８】
前記電池固定用部材は、前記電池収納凹部の周縁部に配置された枢軸回転可能な固定レバーであり、電池蓋の装着時の回転でその爪部によって半径方向内側に押される固定レバーであることを特徴とする請求項１６の報音機能付携帯型電子装置。
【請求項１９】
前記電池固定用部材は、前記電池収納凹部の周縁部に配置された複数個のスイッチバネであって、電池蓋の装着時の回転で電池蓋凹部のテーパー付内周面でその立上げ部が半径方向内側に押されるスイッチバネであることを特徴とする請求項１６の報音機能付携帯型電子装置。
【請求項２０】
電池収納凹部に収納されたボタン型電池をユーザーが交換可能にして電池蓋が装着された電子装置本体と、圧電素子を音響発生用素子とする報音部を備えた報音機能付携帯型電子装置において、前記電池収納凹部は前記電池蓋の内側に形成された電池蓋凹部の一部に形成され、且つ前記圧電素子は前記ボタン型電池との間に隙間を設けて前記電池蓋凹部の底面に取り付けられていることを特徴とする報音機能付携帯型電子装置。
【請求項２１】
前記圧電素子は、前記電池蓋凹部の底面の一部を更に窪ませて形成された圧電素子収納凹部の底面に取り付けられていることを特徴とする請求項２０の報音機能付携帯型電子装置。
【請求項２２】
前記電池蓋凹部は、底面に前記圧電素子と前記ボタン型電池の間に隙間を生じさせるための突起が形成されたものであることを特徴とする請求項２０の報音機能付携帯型電子装置。
【発明の詳細な説明】
【技術分野】
【０００１】
本発明は、腕に装着して携帯されるアラーム付電子時計の如き報音機能付携帯型電子装置に関し、特に音響発生用の圧電素子が取り付けられた電池蓋を備えた報音機能付携帯型電子機器に関する。
【背景技術】
【０００２】
特開２００２−２２１５８２号公報（特許文献１）には、ムーブメントが収納される時計ケースの裏面側に椀状の収納蓋が取り外し可能に取り付けられた電子ブザー付携帯型時計が開示されている。収納蓋と時計ケースの裏面とで形成される付加収納部には、電子ブザーが収納されている。電子ブザーは、圧電素子を利用した発音装置、スイッチ、電池などを実装したプリント回路基板で構成されている。このような構成であるため、付加収納部は余裕のある容積を確保でき、大きな電池の収納も可能であり、電池交換やメンテナンスの作業性も高い。しかしながら、この収容蓋は、時計ケースに近いぐらいの容積を有する部材であるから、電子ブザー付携帯型時計の小型化は不可能である。また、電池はプリント回路基板に実装されているから、ユーザーが容易に電池交換をすることができないという問題もある。
【０００３】
携帯型時計のケースサイズを大きくしないで、ユーザーが容易に電池交換ができる時計ケース構造は、例えば特開２００３−３６８２９号公報（特許文献２）に開示の電池ハッチ構造を採用したものである。即ち、時計ケースの裏蓋に取り外し可能に装着された電池ハッチを備えたものである。電池ハッチには電池収納凹部が形成されており、ボタン型電池は電池収納凹部に収納される。このような構造であるから、電池ハッチを時計ケースの裏蓋に装着するときも取り外すときも、電池は電池収納凹部に収納されたままである。        
【０００４】
従って、ユーザーは電池交換を容易に行うことができる。また、特許文献２には、電池収納凹部がムーブメント構造体に形成され、電池収納凹部に対応する時計ケースの個所に電池交換のための電池蓋が備えられた従来の電池ハッチ構造も開示されている。前者の電池ハッチ構造では、電池は電池ハッチに形成された電池収納凹部の底面とムーブメント構造体の対応する個所の面とで挟持して固定されている。また、後者の電池ハッチ構造では、電池はムーブメント構造体に形成された電池収納凹部の底面と電池蓋の裏面とで挟持して固定されている。ところで、このような電池ハッチ構造を備えた携帯型時計に電子ブザーを組み込もうとすれば、電子ブザーは電池蓋とは離れた個所に配置せざるを得ず、携帯型時計はその分だけサイズが大きくなるという問題がある。
【０００５】
特開２００３−９８２７８号公報（特許文献３）には、電池蓋の内側に音響発生用の圧電素子が取り付けられた電池蓋付携帯型電子装置が開示されている。即ち、ボタン型電池を収納する電池収納凹部を備えた腕時計型の電子装置本体と、電池収納凹部の円形開口に取り外し可能に装着される電池蓋であって装着されたときにボタン型電池を押えて電池収納凹部に保持するように機能する電池蓋とを備えた電子装置が開示されている。この電子装置において、前記電池蓋の電池蓋本体の内面には段付凹部が形成され、音響発生用の圧電素子が貼り付けられた報音板がその周縁部を前記段付凹部の段部に固着されている。
【０００６】
そして、この電子装置には、報音板の下面に貼り付けられた圧電素子の一方の端子面とボタン型電池のプラス電極面とを電気的に接続するために、独特の構造のバネ性金属材料からなるリード端子が用いられている。即ち、このリード端子は、電池蓋の半径方向に伸びたビーム状アーム部を備えたリード端子であって、その先端部はビーム状アームの延在方向に対して左右に直角に延びた一対の板バネ状の弾性支持脚部が形成されたものである。圧電素子の一方の端子面とリード端子は１個所で点接触し、且つボタン型電池のプラス電極面リード端子は２箇所で点接触している。
【０００７】
電池蓋に音響発生用の圧電素子が配置されたことを特徴とする特許文献３に開示の電子装置は、電子装置本体のサイズを大きくしないで電子ブザーなどの報音装置を備えることができる。しかしながら、上述の如き独特の構造のリード端子を介して、報音板とムーブメント構造体の電池収納部の底面とでボタン型電池を挟持するものであるため、ボタン型電池は電池収容凹部内に強固に保持されないという問題がある。衝撃が電子装置本体に加わった場合には、上述の点接触している３個所を支点として、ボタン型電池が揺動するからである。ボタン型電池の揺動はバネ性金属材料からなるリード端子を介して音響発生用の圧電素子に伝わり、圧電素子を破損する恐れもある。
【特許文献１】特開２００２−２２１５８２号公報
【特許文献２】特開２００３−３６８２９号公報
【特許文献３】特開２００３−９８２７８号公報
【発明の開示】
【発明が解決しようとする課題】
【０００８】
本発明が解決しようとする課題は、音響発生用の圧電素子を備えた報音機能付携帯型電子装置において、ユーザーによる容易な電池交換を可能にしてボタン型電池を電池収納凹部に固定すること、及び、前記圧電素子が十分な音量の音響を発生できるようにすることである。
【課題を解決するための手段】
【０００９】
上述の課題を解決するために、電池収納凹部に収納されたボタン型電池をユーザーが交換可能にして電池蓋が装着された電子装置本体と、圧電素子を音響発生用素子とする報音部を備えた報音機能付携帯型電子装置において、前記電池蓋の内側に電池蓋凹部を形成し、前記電池収納凹部に収納されたボタン型電池との間に隙間を設けて前記電池蓋凹部の底面に前記圧電素子を取り付けた。
【発明の効果】
【００１０】
本発明により、音響発生用圧電素子を電池蓋に備えた実用的な報音機能付携帯型電子装置、即ち、電池容量の大きいボタン型電池を備えながら装置本体は小型であり且つ音量は大きい報音機能付携帯型電子装置が提供された。本発明に係る報音機能付携帯型電子装置においては、ボタン型電池は電池収納凹部にしっかりと固定されていて、しかもユーザーによる電池交換は容易である。
【発明を実施するための最良の形態】
【００１１】
本発明に係る報音機能付携帯型電子装置は、電池収納凹部に収納されたボタン型電池をユーザーが交換可能にして電池蓋が装着された電子装置本体と、圧電素子を音響発生用素子とする報音部を備えた報音機能付携帯型電子装置において、前記電池収納凹部は電子装置本体に形成され、前記圧電素子は前記電池蓋の内側に形成された電池蓋凹部の底面に取り付けられ、更に、前記電池蓋凹部の開口には前記圧電素子との間に隙間を設けて板状隔壁部材が固着されていることを特徴とするものである。このような構成により、前記圧電素子が十分な膜振動を行う音響空間が確保され、前記電池収納凹部に収納されたボタン型電池は前記板状隔壁部材により押されてしっかりと固定される。しかも、電池蓋を取り外すと、ユーザーはボタン型電池を電池収納凹部から容易に取り出し、電池交換をすることができる。
【実施例１】
【００１２】
本発明の実施例１は、図１〜図８に示す如く、電池収納凹部１３に収納されたボタン型電池１２をユーザーが交換可能にして電池蓋１４が装着された電子時計本体１１と、圧電素子１６を音響発生用素子とする報音部を備えた報音機能付携帯型電子時計において、電池収納凹部１３は電子時計本体１１に形成されていること、圧電素子１６は電池蓋１４の内側に形成された電池蓋凹部１５の底面に取り付けられていること、及び、電池蓋凹部１５の開口には板状隔壁部材１７が周縁部を固着されて配置されていることを特徴とするものである。なお、板状隔壁部材１７と圧電素子１６との間に生じる隙間１８は、音響用隙間として機能する。
【００１３】
圧電素子１６を音響発生用素子とする報音部を備えた報音機能付携帯型電子時計は、図１の要部断面図に示す如く、裏側には電池蓋１４が取り外し可能にして装着され且つ表側にはガラス２６が固着された電子時計本体１１を有する。電子時計本体１１の電池蓋１４とガラス２６との間に形成されている収納室には、モジュール枠２７に固定された回路基板２０と、部材２８によってモジュール枠２７に取り付けられ且つコネクタ２４によって回路基板２０に接続された液晶パネル２５を含む電子時計モジュール、及びボタン型電池１２が収納されている。
【００１４】
回路基板２０の上に配置されている電池枠２３には、電池収納凹部１３が形成されている。電池収納凹部１３の内径はボタン型電池１２の内径を規制する。また、電池収納凹部１３の底面はボタン型電池１２の底の位置を規制すると共に、ボタン型電池１２のマイナス電極が当接する電源のマイナス端子（図示せず）の位置を規制している。電池枠２３の表面に配置されているスイッチバネ２２は導電性の弾性部材であり、電池収納凹部１３に収納されたボタン型電池１２のプラス電極に弾性的に当接して横方向の動きを規制すると共に、電源のプラス端子として機能する。
【００１５】
電池蓋１４の内側には、有底円筒状の電池蓋凹部１５が形成されている。電子ブザーの音響発生用素子である圧電素子１６は、電池蓋凹部１５の底面に導電性接着剤で貼り付けられている。
【００１６】
プラスチック製の円形の弾性板部材である板状隔壁部材１７は、電池蓋１４の電池蓋凹部１５の開口に配置され、圧電素子１６との間に隙間１８を設けてその周縁部を電池蓋凹部１５の内周面に接着剤などで固着されている。プラスチック製の板状隔壁部材１７の表面には、導通用プリント回路が形成されている。また、板状隔壁部材１７は、図９に示す如く、中心部が電池側に撓んだハニカム構造の弾性のある円形板部材１７Ｄでもよい。ハニカム構造の円形板部材１７Ｄを形成する多数の六角形の穴は、導通端子が自由に貫通できる大きさに設定されており、導通端子用の貫通穴として機能している。なお、ハニカム構造の円形板部材１７Ｄは撓みのない平板の非弾性部材であってもよい。また、多数の六角形の穴は、全面でなく、部分的に形成されてもよい。要するに、ハニカム構造の円形板部材１７Ｄの形状・材質に特別な制限はない。
【００１７】
上述の如く構成された図１の報音機能付携帯型電子時計において、ボタン型電池１２は電子時計本体１１の電池収納部１３に収納され、しっかりと固定されている。即ち、ボタン型電池１２は、スイッチバネ２２と電池枠２３の内周面によって横方向の動きが規制され、また電池枠２３の底面と円形の弾性板部材１７に挟まれて縦方向の動きが規制されている。円形の弾性板部材１７とボタン型電池１２の上面との間に介在しているのは、クッション部材３６である。
【００１８】
また、図１の報音機能付携帯型電子時計において、圧電素子１６の一方の端子は、電池蓋凹部１５の底面から導通端子３２を介して、円形の弾性板部材１７の表面に形成されている導通用プリント回路に電気的に接続されている。また、圧電素子１６の他方の端子は、導通バネ３３を介して、前記導通用プリント回路に電気的に接続されている。前記導通用プリント回路には、図示しない導通手段によって、回路基板２０と電気的に接続されている。
【００１９】
このようにして、電子時計モジュールの回路基板２０から音響信号を与えられると、圧電素子１６は隙間１８において円形膜振動モードで振動し、音響を発生する。隙間１８は、円形の弾性板部材１７との間に所定間隔を設けて形成されたものであるので、十分な音響が得られる。
【００２０】
次に、図２に要部を示す報音機能付携帯型電子時計は、板状隔壁部材として第１の導通用接点板バネ３０が中心部に且つ第２の導通用接点板バネ３１が周縁部に配置されて組み込まれたプラスチック製の円形の弾性板部材１７Ａを用いたものである。
【００２１】
プラスチック製の円形の弾性板部材である板状隔壁部材１７Ａは、電池蓋１４の電池蓋凹部１５の開口に配置され、圧電素子１６との間に隙間１８を設けて、その周縁部を電池蓋凹部１５の内周面に形成された段部に接着剤などで固着されている。
【００２２】
図２の報音機能付携帯型電子時計において、ボタン型電池１２は電子時計本体１１の電池収納部１３に収納され、しっかりと固定されている。即ち、ボタン型電池１２は、スイッチバネ２２と電池枠２３の内周面によって横方向の動きが規制され、また電池枠２３の底面と円形の弾性板部材１７Ａに挟まれて縦方向の動きが規制されている。
【００２３】
また、図２の報音機能付携帯型電子時計において、圧電素子１６の一方の端子は、電池蓋凹部１５の底面から導通用接点板バネ３０を介して、ボタン型電池１２のプラス電極に電気的に接続されている。また、圧電素子１６の他方の端子は、導通用接点板バネ３１を介して、回路基板２０と電気的に接続されている。導通用接点板バネ３０と３１は、プラスチックに組み込まれて、板状隔壁部材１７Ａと一体の部材として成型加工される。
【００２４】
次に、図３に要部を示す報音機能付携帯型電子時計は、板状隔壁部材として、図５に示す如き円形の弾性板部材１７Ａを用いて構成されたものである。即ち、円形の弾性板部材１７Ａは、その中心部には第１導通端子用の貫通穴１７Ａａが、外周部には第２導通端子用の円弧状貫通穴１７Ａｂがそれぞれ形成された部材である。
【００２５】
金属製の円形の弾性板部材である板状隔壁部材１７Ａは、電池蓋１４の電池蓋凹部１５の開口に配置され、圧電素子１６との間に隙間１８を設けて、その周縁部を電池蓋凹部１５の内周面にスポット溶接などで固着されている。なお、板状隔壁部材１７は、図９に示す如き中心部が電池側に撓んだハニカム構造の弾性のある円形板部材１７Ｄ、又はその他の形状・材質のハニカム構造の円形板部材でもよい。
【００２６】
図３の報音機能付携帯型電子時計において、ボタン型電池１２は電子時計本体１１の電池収納部１３に収納され、しっかりと固定されている。即ち、ボタン型電池１２は、スイッチバネ２２と電池枠２３の内周面によって横方向の動きが規制され、また電池枠２３の底面と円形の弾性板部材１７Ａに挟まれて縦方向の動きが規制されている。
【００２７】
また、図３の報音機能付携帯型電子時計において、圧電素子１６の一方の端子は、電池蓋凹部１５の底面から導通バネ３３を介して、回路基板２０と電気的に接続されている。また、圧電素子１６の他方の端子は、導通バネ３４を介して、ボタン型電池１２のプラス電極に電気的に接続されている。
【００２８】
なお、図３の報音機能付携帯型電子時計に用いられる板状隔壁部材１７は、図７（ａ）に示す如く中心部が電池側に撓んだ十字型梁を有する弾性板部材１７Ｂ、又は、図８（ａ）に示す如く中心部が電池側に撓んだ井の字型梁を有する弾性板部材１７Ｃでもよい。
【００２９】
次に、図４に要部を示す報音機能付携帯型電子時計は、板状隔壁部材として、図６に示す如く、その外周部には導通端子用の幅広の円弧状貫通穴１７Ａｃが形成された金属製の円形の弾性板部材１７Ａである。幅広の円弧状貫通穴１７Ａｃは、導通バネ３５の突起状ガイド部が貫通する大きさの穴であり、これにより導通バネ３５と金属製の板部材１７Ａとの接触を防止している。
【００３０】
金属製の円形の弾性板部材１７Ａは、電池蓋１４の電池蓋凹部１５の開口に配置され、圧電素子１６との間に隙間１８を設けて、その周縁部を電池蓋凹部１５の内周面にスポット溶接などで固着されている。なお、板状隔壁部材１７は、図９に示す如き中心部が電池側に撓んだハニカム構造の弾性のある円形板部材１７Ｄ、又はその他の形状・材質のハニカム構造の円形板部材でもよい。
【００３１】
図４の報音機能付携帯型電子時計において、ボタン型電池１２は電子時計本体１１の電池収納部１３に収納され、しっかりと固定されている。即ち、ボタン型電池１２は、スイッチバネ２２と電池枠２３の内周面によって横方向の動きが規制され、また電池枠２３の底面と円形の弾性板部材１７Ａに挟まれて縦方向の動きが規制されている。
【００３２】
また、図４の報音機能付携帯型電子時計において、圧電素子１６の一方の端子は、導通バネ３５を介して回路基板２０と電気的に接続されている。また、圧電素子１６の他方の端子は電池蓋１４と導電性の円形の弾性板部材１７Ａを介して、ボタン型電池１２のプラス電極に電気的に接続されている。
【００３３】
次に、図１０（Ｂ）に要部を示す報音機能付携帯型電子時計は、板状隔壁部材として、図１０（Ａ）示すドーナツ形の導電性の弾性板部材１７Ｅ、又は図１１に示す如く電池の横ずれ防止用突起１７Ｅｂが形成されたドーナツ形の導電性の弾性板部材１７Ｅを用いたものである。ドーナツ形の弾性板部材１７Ｅの外周部には導通端子用の幅広の円弧状の貫通穴１７Ｅａが形成されている。
【００３４】
ドーナツ形の導電性の弾性板部材１７Ｅは金属製である。ドーナツ形の導電性の弾性板部材１７Ｅは、電池蓋１４の電池蓋凹部１５の開口に配置され、圧電素子１６との間に隙間１８を設けて、その周縁部を電池蓋凹部１５の内周面にスポット溶接などで固着されている。なお、板状隔壁部材１７は、図９に示す如き中心部が電池側に撓んだハニカム構造の弾性のある円形板部材１７Ｄ、又はその他の形状・材質のハニカム構造の円形板部材でもよい。
【００３５】
次に、図１２（Ｂ）に要部断面図で示した報音機能付携帯型電子時計は、板状隔壁部材として図１２（Ａ）に示す如く外周部に一対の導通端子用の幅広の円弧状貫通穴が対称的に形成された円形の弾性板部材１７Ｆを用いたものである。円形の弾性板部材１７Ｆには、電池に当接する側に電池固定枠１７Ｆｂが形成されている。この電池固定枠１７Ｆｂは、外周部に形成された導通端子用の幅広の円弧状の貫通穴１７Ｆａの内側を電池側に折り曲げて形成されている。
【００３６】
なお、円弧状貫通穴は、一対の対称形状に限らず、対称でなくても構わないし、また、３個以上であっても構わない。
【００３７】
図１２（Ｂ）の報音機能付携帯型電子時計において、ボタン型電池１２は電子時計本体１１の電池収納部１３に収納され、しっかりと固定されている。即ち、ボタン型電池１２は、スイッチバネ２２と電池枠２３の内周面によって横方向の動きが規制され、更に、また電池枠２３の底面と円形の弾性板部材１７Ｆに挟まれて縦方向の動きが規制されている。ボタン型電池１２は、更に、円形の弾性板部材１７Ｆの電池固定枠１７Ｆｂによって、横方向の動きが規制されている。
【００３８】
次に、図１３（Ｂ）に要部断面図で示した報音機能付携帯型電子時計は、板状隔壁部材として図１３（Ａ）に示す如き片持ち梁部を有するプラスチック製の略ドーナツ形の弾性板部材１７Ｇを用いたものである。略ドーナツ形の弾性板部材１７Ｇには、中心部に向かって延伸した一対の片持ち梁部が形成されている。そして円形の弾性板部材１７Ｇの外周部には幅広の円弧状の導通端子用の貫通穴１７Ｇａが形成されている。また、前記片持ち梁部の端部には、ボタン型電池１２のプラス電極面と当接する小突起１７Ｇｂが形成されている。なお、前記片持ち梁部は１個でもよいし、２個以上の複数個でもよい。
【００３９】
図１３（Ｂ）の報音機能付携帯型電子時計において、ボタン型電池１２は電子時計本体１１の電池収納部１３に収納され、しっかりと固定されている。即ち、ボタン型電池１２は、スイッチバネ２２と電池枠２３の内周面によって横方向の動きが規制され、更に、また電池枠２３の底面と円形の弾性板部材１７Ｇに挟まれて縦方向の動きが規制されている。
【００４０】
なお、図１０（Ｂ）、図１２（Ｂ）、図１３（Ｂ）の報音機能付携帯型電子時計において、圧電素子１６の一方の端子と回路基板２０との電気的接続、及び圧電素子１６の他方の端子とボタン型電池１２のプラス電極との電気的接続は、上述した様々な接続手段を適宜用いて行うことができる。
【実施例２】
【００４１】
本発明の実施例２は、図１４に示す如く、電池収納凹部１３に収納されたボタン型電池１２をユーザーが交換可能にして電池蓋１４が装着された電子時計本体１１と、圧電素子１６を音響発生用素子とする報音部を備えた報音機能付携帯型電子時計において、電池収納凹部１３は電子時計本体１１に形成されていること、圧電素子１６は電池蓋１４の内側に形成された電池蓋凹部１５の底面に取り付けられていること、及び、電池蓋凹部１５の開口には圧電素子１６よりも大きい直径のコイルバネ１９で電池側に押しつけられるようにして板状隔壁部材１７が配置されていることを特徴とするものである。板状隔壁部材１７は、外周面に電池方向に折り曲げられて形成された電池固定枠を有するものである。
【００４２】
図１４の報音機能付携帯型電子時計において、ボタン型電池１２は電子時計本体１１の電池収納部１３に収納され、しっかりと固定されている。即ち、ボタン型電池１２は、スイッチバネ２２と電池枠２３の内周面によって横方向の動きが規制され、また電池枠２３の底面と円形の弾性板部材１７に挟まれて縦方向の動きが規制されている。ボタン型電池１２は、更に、円形の弾性板部材１７の電池固定枠によって、横方向の動きが規制されている。
【００４３】
なお、図１４の報音機能付携帯型電子時計において、圧電素子１６の一方の端子と回路基板２０との電気的接続、及び圧電素子１６の他方の端子とボタン型電池１２のプラス電極との電気的接続は、上述した様々な接続手段を適宜用いて行うことができる。
【実施例３】
【００４４】
本発明の実施例３は、図１５〜図１７に示す如く、電池収納凹部１３に収納されたボタン型電池１２をユーザーが交換可能にして電池蓋１４が装着された電子時計本体１１と、圧電素子１６を音響発生用素子とする報音部を備えた報音機能付携帯型電子時計において、電池収納凹部１３は電子時計本体１１に形成されていること、圧電素子１６は電池蓋１４の内側に形成された電池蓋凹部１５の底面に取り付けられていること、及び、ボタン型電池１２を固定するための電池固定用部材が電池収納凹部１３の周縁部に配置されていることを特徴とするものである。
【００４５】
前記電池固定用部材は、図１５に示す如く、電池収納凹部１３の周縁部に配置された複数個のスイッチバネ２２であって、電池蓋１４の装着時の回転でその爪部１４ａによって半径方向内側に押されるものである。
【００４６】
又は、前記電池固定用部材は、図１６に示す如く、電池収納凹部１３の周縁部に配置された枢軸回転可能な固定レバー２１であり、電池蓋１４の装着時の回転でその爪部１４ａによって半径方向内側に押されるものである。
【００４７】
又は、前記電池固定用部材は、図１７に示す如く、電池収納凹部１３の周縁部に配置されたスイッチバネ２２であって、電池蓋１４の装着時の回転で電池蓋凹部１５のテーパー付内周面１５ｃでその立上げ部が半径方向内側に押されるものである。電池蓋凹部１５のテーパー付内周面１５ｃは、開口端部から底面まで内径が徐々に小さくなるように傾斜したテーパー付内周面である。
【００４８】
なお、図１５〜図１７の報音機能付携帯型電子時計において、圧電素子１６の一方の端子と回路基板２０との電気的接続、及び圧電素子１６の他方の端子とボタン型電池１２のプラス電極との電気的接続は、上述した様々な接続手段を適宜用いて行うことができる。
【実施例４】
【００４９】
本発明の実施例４は、図１８〜図１９に示す如く、電池収納凹部１３に収納されたボタン型電池１２をユーザーが交換可能にして電池蓋１４が装着された電子時計本体１１と、圧電素子１６を音響発生用素子とする報音部を備えた報音機能付携帯型電子時計において、電池収納凹部１３は電池蓋１４の内側に形成された電池蓋凹部１５の大部分を占めるように形成されていること、圧電素子１６は電池収納凹部１３に収納されたボタン型電池１２の電極面との接触を避けるために電池蓋凹部１５の底面に取り付けられていることを特徴とするものである。なお、ボタン型電池１２と圧電素子１６との間に生じる隙間１８は、音響用隙間として機能する。
【００５０】
圧電素子１６を電池収納凹部１３に収納されたボタン型電池の電極面との間に隙間を設けるようにして電池蓋凹部１５の底面に取り付けるための一つの構造は、図１８に示す如く、電池蓋凹部１５の底面の一部を更に窪ませて圧電素子収納凹部３７を形成し、電池収納凹部１３と圧電素子収納凹部３７との間に段部３７ａを設けた２段底構造である。即ち、この段部によって、電池収納凹部１３に収納されたボタン型電池１２のプラス電極面と、圧電素子収納凹部３７に取り付けられた圧電素子１６との間には隙間１８が形成される。
【００５１】
圧電素子１６を電池収納凹部１３に収納されたボタン型電池１２のプラス電極面との間に隙間１８を設けるようにして電池蓋凹部１５の底面に取り付けるための他の構造は、図１９に示す如く、電池蓋凹部１５の一部に圧電素子取り付け領域を設け且つ前記圧電素子取り付け領域と離れた個所に複数個の突起１４ｂを形成した突起付底構造である。即ち、この突起１４ｂによって、電池収納凹部１３に収納されたボタン型電池１２のプラス電極面と、電池蓋凹部１５の底面に取り付けられた圧電素子１６との間には隙間１８が形成される。換言すれば、突起１４ｂはボタン型電池１２と圧電素子１６との間に隙間を生じさせるための突起である。
【００５２】
なお、図１８〜図１９の報音機能付携帯型電子時計において、圧電素子１６の一方の端子と回路基板２０との電気的接続、及び圧電素子１６の他方の端子とボタン型電池１２のプラス電極との電気的接続は、上述した様々な接続手段を適宜用いて行うことができる。
【産業上の利用可能性】
【００５３】
本発明に係る報音機能付電子装置は、携帯型多機能時計に限らず、電子音によって利用者に情報を与える機能を備えた各種の携帯型電子装置に適用できる。
【図面の簡単な説明】
【００５４】
【図１】実施例１の報音機能付携帯型電子時計の要部の断面図である。
【図２】実施例１の第１変形例の報音機能付携帯型電子時計の要部の断面図である。
【図３】実施例１の第２変形例の報音機能付携帯型電子時計の要部の断面図である。
【図４】実施例１の第３変形例の報音機能付携帯型電子時計の要部の断面図である。
【図５】実施例１の第２変形例の報音機能付携帯型電子時計に用いられる板状隔壁部材の平面図である。
【図６】実施例１の第３変形例の報音機能付携帯型電子時計に用いられる板状隔壁部材の平面図である。
【図７】十字型梁を有する弾性板部材の平面図（Ａ）、及び、この弾性板部材を取り付けた実施例１の報音機能付携帯型電子時計の要部の断面図（Ｂ）である。
【図８】井の字型梁を有する弾性板部材の平面図（Ａ）、及び、この弾性板部材を取り付けた実施例１の報音機能付携帯型電子時計の要部の断面図（Ｂ）である。
【図９】ハニカム構造の円形の弾性板部材の平面図である。
【図１０】ドーナツ形の弾性板部材の平面図（Ａ）、及び、この弾性板部材を取り付けた実施例１の報音機能付携帯型電子時計の要部の断面図（Ｂ）である。
【図１１】ドーナツ形の弾性板部材の変形例を取り付けた実施例１の報音機能付携帯型電子時計の要部の断面図である。
【図１２】電池固定枠が形成された円形の弾性板部材の平面図（Ａ）、及び、この弾性板部材を取り付けた実施例１の報音機能付携帯型電子時計の要部の断面図（Ｂ）である。
【図１３】一対の片持ち梁部を有する円形の弾性板部材の平面図（Ａ）、及び、この弾性板部材を取り付けた実施例１の報音機能付携帯型電子時計の要部の断面図（Ｂ）である。
【図１４】実施例２の報音機能付携帯型電子時計の要部の断面図である。
【図１５】実施例３の報音機能付携帯型電子時計の要部の平面図（Ａ）、及び断面図（Ｂ）である。
【図１６】実施例３の第１変形例の報音機能付携帯型電子時計の要部の平面図（Ａ）、及び断面図（Ｂ）である。
【図１７】実施例３の第２変形例の報音機能付携帯型電子時計の要部の平面図（Ａ）、及び断面図（Ｂ）である。
【図１８】実施例４の報音機能付携帯型電子時計の要部の平面図（Ａ）、及び断面図（Ｂ）である。
【図１９】実施例４の変形例の報音機能付携帯型電子時計の要部の平面図（Ａ）、及び断面図（Ｂ）である。
【符号の説明】
【００５５】
１１  電子時計本体
１２  ボタン型電池
１３  電池収納凹部
１４  電池蓋
１４ｂ  突起
１５  電池蓋凹部
１６  圧電素子
１７  板状隔壁部材
１７Ａ  導通端子用の貫通穴が形成された円形板状隔壁部材
１７Ｂ  十字型梁構造の板状隔壁部材
１７Ｃ  井の字型梁構造の板状隔壁部材
１７Ｄ  ハニカム構造の板状隔壁部材
１７Ｅ  導通端子用の円弧状貫通穴が形成されたドーナツ形板状隔壁部材
１７Ｆ  円弧状貫通穴と電池固定枠が形成された円形板状隔壁部材板部材
１７Ｇ  導通端子用の円弧状貫通穴と片持ち梁部が形成された略ドーナツ形板状隔壁部材
１８  隙間
１９  コイルバネ
２０  回路基板
２１  固定レバー
２２  スイッチバネ
２３  電池枠
２４  コネクタ
２５  液晶パネル
２６  ガラス
２７  モジュール枠
２８  取り付け部材
３０、３１  導通用接点板バネ
３２、３３、３４、３５  導通バネ
３６  クッション部材
３７  圧電素子収納凹部
【図１】
2005214793.tif 000003
【図２】
2005214793.tif 000004
【図３】
2005214793.tif 000005
【図４】
2005214793.tif 000006
【図５】
2005214793.tif 000007
【図６】
2005214793.tif 000008
【図７】
2005214793.tif 000009
【図８】
2005214793.tif 000010
【図９】
2005214793.tif 000011
【図１０】
2005214793.tif 000012
【図１１】
2005214793.tif 000013
【図１２】
2005214793.tif 000014
【図１３】
2005214793.tif 000015
【図１４】
2005214793.tif 000016
【図１５】
2005214793.tif 000017
【図１６】
2005214793.tif 000018
【図１７】
2005214793.tif 000019
【図１８】
2005214793.tif 000020
【図１９】
2005214793.tif 000021